(57)【要約】      （修正有）【課題】μ−ＬａｗＰＣＭ等の非可逆圧縮後の音声信号に伸長を行った際に発生する非線形のひずみを軽減し、良好な通話品質を確保するとともに、回路構成の簡素化を図る。【解決手段】玄関子機１ａの通話音声であり子機音声圧縮回路１０５を経由してμ−ＬａｗＰＣＭ等の非可逆圧縮が行われたデジタル音声圧縮信号を居室親機２ａの親機伸張回路２０７にて伸張させる際、加重平均フィルタ２０８の作用により伸張の際に発生する非線形のひずみを軽減し、伸張後のデジタル音声信号を平滑化する。また、居室親機の親機マイク２０２に入力された通話音声についても、同様な経路を経て、子機伸張回路１０６にて伸張させ、加重平均フィルタ１０７の作用により伸張の際に発生する非線形のひずみを軽減し、伸張後のデジタル音声信号を平滑化する。さらに、玄関子機の加重平均フィルタ及び居室親機の加重平均フィルタは、それぞれ２のべき乗で加重平均演算を行う。【選択図】図１
2008219113.tif 000002
【特許請求の範囲】
【請求項１】
子機マイク（１０２）及び子機スピーカ（１０３）を有する玄関子機（１ａ、１ｂ）と、前記玄関子機にて呼出操作を行った来訪者からの呼び出しが報知され、前記呼び出しに応答して居住者が通話を成立させるための親機マイク（２０２）及び親機スピーカ（２０１）を有する居室親機（２ａ、２ｂ）とを設け、
前記玄関子機及び前記居室親機のそれぞれは、μ−ＬａｗＰＣＭ等の非可逆圧縮後に伸長を行った際に発生する非線形のひずみを軽減するために前記伸長後の音声信号を平滑化する加重平均演算を行う加重平均フィルタ（１０７、１１３、２０８、２１４）を備えたことを特徴とするインターホン装置。
【請求項２】
前記加重平均フィルタは、前記加重平均演算を行うにあたり２のべき乗で加重平均演算を行う機能を備えたことを特徴とする請求項１記載のインターホン装置。
【請求項３】
前記玄関子機及び前記居室親機のそれぞれは、オーバーサンプリングを行って前記音声信号を補間して通話品質を改善するためのオーバーサンプリング回路（１１１、２１２）と、前記オーバーサンプリングの際の不要帯域を除去するための帯域通過フィルタ（１１２、２１３）とを備えたことを特徴とする請求項１又は請求項２記載のインターホン装置。
【発明の詳細な説明】
【技術分野】
【０００１】
本発明はインターホン装置に係り、特に、玄関子機及び居室親機の間で通話を成立させるにあたり、良好な通話品質を確保することができるインターホン装置に関する。
【背景技術】
【０００２】
従来から、音声信号、音楽などの音響信号や画像信号を圧縮し、伸張する符号化方法、復号化方法、符号器、復号器、それらのプログラムが開示されている（例えば、特許文献１を参照）。
【０００３】
この従来例によれば、音声信号を非可逆圧縮、符号化した誤差信号について、そのフレームごとに各サンプルの同一ビット位置のビット系列を１バイトずつのシンボルとし、その最初の非ゼロシンボルの連続から次に非ゼロシンボルが現われる前までをグループとしグループごとにその非ゼロシンボルの数とそのゼロシンボルの数を１バイトの制御符号とし、これにそのグループの非ゼロシンボルを連続させてそのグループの符号とすることにより、ランレングス符号化のみあるいはエントロピー符号化のみ、又はこれらの組合せよりも効果的な符号化が可能となる。しかも処理時間が短くなる。
【０００４】
【特許文献１】特開２００４−２４７９０９公報（段落番号「００１３」乃至「００３５」、第４図乃至第１４図）
【発明の開示】
【発明が解決しようとする課題】
【０００５】
背景技術に記載した特許文献１の従来例において、μ−ＬａｗＰＣＭ（Pulse Code Modulation）等の非可逆圧縮方式の音声コーデックは、呼出音や音声を圧縮データから伸長する際に非可逆圧縮を行っており、この非可逆圧縮を行うにあたり一部の情報が削られるため、元の音データとは異なった音データが再生される虞がある。これにより、非可逆圧縮後の音データによっては、伸張の際に好ましくない非線形のひずみが発生してノイズの原因となり、良好な音質（通話品質）を確保できない難点があった。
【０００６】
本発明は、この難点を解消するためになされたもので、μ−ＬａｗＰＣＭ等の非可逆圧縮後の音声信号に伸長を行った際に発生する非線形のひずみを軽減し、伸張後の音声信号を平滑化させて良好な通話品質を確保するとともに、回路構成の簡素化を図ることができるインターホン装置を提供することを目的としている。
【課題を解決するための手段】
【０００７】
前述の目的を達成するため、本発明の第１の態様であるインターホン装置は、子機マイク及び子機スピーカを有する玄関子機と、玄関子機にて呼出操作を行った人物からの呼び出しが報知され、呼び出しに応答して通話を成立させるための親機マイク及び親機スピーカを有する居室親機とを設けたものである。玄関子機及び居室親機のそれぞれは、μ−ＬａｗＰＣＭ等の非可逆圧縮後に伸長を行った際に発生する非線形のひずみを軽減するために伸長後の音声信号を平滑化する加重平均演算を行う加重平均フィルタを備えたものである。
【０００８】
また、本発明の第２の態様であるインターホン装置は、本発明の第１の態様において、加重平均フィルタは、加重平均演算を行うにあたり２のべき乗で加重平均演算を行う機能を備えたものである。
【０００９】
また、本発明の第３の態様であるインターホン装置は、本発明の第１の態様又は第２の態様において、玄関子機及び居室親機のそれぞれは、オーバーサンプリングを行って音声信号を補間して通話品質を改善するためのオーバーサンプリング回路と、オーバーサンプリングの際の不要帯域を除去するための帯域通過フィルタとを備えたものである。
【発明の効果】
【００１０】
本発明のインターホン装置によれば、玄関子機の子機マイクに入力された通話音声であるμ−ＬａｗＰＣＭ等の非可逆圧縮が行われた音声信号を居室親機に送信し、この居室親機にて伸張後、親機スピーカから出力させるにあたり、当該居室親機の加重平均フィルタの作用により伸張の際に発生する非線形のひずみが軽減し、伸張後の音声信号が平滑化されることにより、親機スピーカから出力させる音声信号を良好な通話品質で確保することができる。一方、居室親機の親機マイクに入力された通話音声であるμ−ＬａｗＰＣＭ等の非可逆圧縮が行われた音声信号を玄関子機に送信し、この玄関子機にて伸張後、子機スピーカから出力させるにあたり、当該玄関子機の加重平均フィルタの作用により伸張の際に発生する非線形のひずみが軽減し、伸張後の音声信号が平滑化されることにより、子機スピーカから出力させる音声信号を良好な通話品質で確保することができる。
【００１１】
また、玄関子機の加重平均フィルタ及び居室親機の加重平均フィルタはそれぞれ、２のべき乗で加重平均演算が行われることにより、回路構成を簡素化できる。
【００１２】
さらに、非可逆圧縮が行われた玄関子機からの音声信号を居室親機にて伸張する際、当該居室親機のオーバーサンプリング回路及び帯域通過フィルタを経由して伸張後の音声信号をオーバーサンプリングして通話品質を改善し、また不要帯域である高周波成分を除去することができ、さらには当該居室親機の加重平均フィルタの作用により伸張の際に発生する非線形のひずみが軽減し、伸張後の音声信号が平滑化されることにより、親機スピーカから出力させる音声信号をより良好な通話品質で確保することができる。一方、非可逆圧縮が行われた居室親機からの音声信号を玄関子機にて伸張する際、当該玄関子機のオーバーサンプリング回路及び帯域通過フィルタを経由して伸張後の音声信号をオーバーサンプリングして通話品質を改善し、また不要帯域である高周波成分を除去することができ、さらには当該玄関子機の加重平均フィルタの作用により伸張の際に発生する非線形のひずみが軽減し、伸張後の音声信号が平滑化されることにより、子機スピーカから出力させる音声信号をより良好な通話品質で確保することができる。
【発明を実施するための最良の形態】
【００１３】
以下、本発明のインターホン装置を適用した最良の実施の形態例について、図面を参照して説明する。
【００１４】
図１は、本発明の第１の実施例によるインターホン装置の具体的な構成を示すブロック図である。
【００１５】
図１に示すインターホン装置には、住戸外、例えば、住戸玄関に設置された玄関子機１ａと、伝送線路Ｌ1aを経由して玄関子機１ａに接続される住戸内に設置された居室親機２ａとが設けられている。
【００１６】
また、玄関子機１ａには、呼出ボタン１００、呼出検出回路１０１、マイク（以下、子機マイクという。）１０２、スピーカ（以下、子機スピーカという。）１０３、音声コーデック（以下、子機音声コーデックという。）１０４、圧縮回路（以下、子機圧縮回路という。）１０５、伸張回路（以下、子機伸張回路という。）１０６、加重平均フィルタ（以下、子機加重平均フィルタという。）１０７、フレーム組立回路（以下、子機フレーム組立回路という。）１０８、フレーム分解回路（以下、子機フレーム分解回路という。）１０９、送受信回路（以下、子機送受信回路という。）１１０が備えられている。
【００１７】
この玄関子機１ａにおいて、呼出ボタン１００は、住戸玄関に居る人物、例えば、来訪者が、住戸内に在室中の居住者を呼び出すために操作するものである。
【００１８】
呼出検出回路１０１は、呼出ボタン１００にて行われた呼出操作を検出して呼出信号を生成するためのものである。
【００１９】
子機マイク１０２は、呼出操作を行った来訪者が居住者との間で通話を成立させるにあたり、通話音声（送話音声）を入力するためのものである。
【００２０】
子機スピーカ１０３は、呼出操作を行った来訪者が居住者との間で通話を成立させるにあたり、居住者による通話音声（受話音声）を出力するためのものである。
【００２１】
子機音声コーデック１０４は、Ａ／Ｄ変換回路１０４ａ及びＤ／Ａ変換回路１０４ｂを有している。また、Ａ／Ｄ変換回路１０４ａは、子機マイク１０２に入力された通話音声（送話音声）であり電気信号に信号処理されたアナログ音声信号をアナログ／デジタル変換するためのものである。さらに、Ｄ／Ａ変換回路１０４ｂは、子機スピーカ１１３から出力させる通話音声（受話音声）であり、子機加重平均フィルタ１０７を経由して伝送されてくる（居室親機２ａからの）デジタル音声信号をデジタル／アナログ変換するためのものである。
【００２２】
子機圧縮回路１０５は、子機音声コーデック１０４のＡ／Ｄ変換回路１０４ａを経由してアナログ／デジタル変換されたデジタル音声信号についてμ−ＬａｗＰＣＭ等の非可逆圧縮を行うためのものである。
【００２３】
子機伸張回路１０６は、子機フレーム分解回路１０９を経由して伝送されてくる（居室親機２ａからの）非可逆圧縮されたデジタル音声信号（デジタル音声圧縮信号）を伸張するためのものである。
【００２４】
子機加重平均フィルタ１０７は、子機伸張回路１０６を経由して伸張されたデジタル音声信号に発生する非線形のひずみを軽減するため、伸張後のデジタル音声信号を平滑化するために２のべき乗で加重平均演算を行うものである。
【００２５】
子機フレーム組立回路１０８は、呼出検出回路１０１にて生成された呼出信号や子機圧縮回路１０５を経由して非可逆圧縮されたデジタル音声信号（デジタル音声圧縮信号）を、伝送線路Ｌ1aを伝送させる所定のフレームとなるように構成するためのものである。
【００２６】
子機フレーム分解回路１０９は、子機送受信回路１１０を経由して伝送されてくる（居室親機２ａからの）所定のフレーム構成の後述する応答信号や非可逆圧縮されたデジタル音声信号（デジタル音声圧縮信号）を分離するためのものである。
【００２７】
子機送受信回路１１０は、子機フレーム組立回路１０８から伝送線路Ｌ1aへの信号伝送ライン、伝送線路Ｌ1aから子機フレーム分解回路１０９への信号伝送ラインをそれぞれ形成するためのものである。
【００２８】
さらに、居室親機２ａには、表示部２００、スピーカ（以下、親機スピーカという。）２０１、マイク（以下、親機マイクという。）２０２、応答ボタン２０３、制御回路２０４、音声コーデック（以下、親機音声コーデックという。）２０５、圧縮回路（以下、親機圧縮回路という。）２０６、伸張回路（以下、親機伸張回路という。）２０７、加重平均フィルタ（以下、親機加重平均フィルタという。）２０８、フレーム組立回路（以下、親機フレーム組立回路という。）２０９、フレーム分解回路（以下、親機フレーム分解回路という。）２１０、送受信回路（以下、親機送受信回路という。）２１１が備えられている。
【００２９】
この居室親機２ａにおいて、表示部２００は、来訪者による玄関子機１ａからの呼び出しがある旨の内容を所定のパターンで点滅／点灯させるとともに、来訪者及び居住者の間で通話が成立している旨の内容を所定のパターンで点滅／点灯させるためのものである。また、表示部２００としては、例えば、ＬＥＤ（Light Emitting Diode）等の各種の発光素子が好適とされる。
【００３０】
なお、表示部２００は、前述の発光素子に限定されるものではなく、来訪者による玄関子機１ａからの呼び出しがある旨の内容、来訪者及び居住者の間で通話が成立している旨の内容を、所定の文字メッセージや絵データ等で表示する例えば、ＬＣＤ（Liquid Crystal Display）、有機ＥＬ（Electro Luminescence）ディスプレイ等の各種のディスプレイも好適とされる。
【００３１】
親機スピーカ２０１は、来訪者による玄関子機１ａからの呼び出しがある旨の内容を所定のパターンの呼出音や音声メッセージ等を放音させて呼出報知するとともに、この呼出報知を確認した居住者が来訪者との間で通話を成立させるにあたり、来訪者による通話音声（受話音声）を出力するためのものである。
【００３２】
親機マイク２０２は、前述の呼出報知を確認した居住者が来訪者との間で通話を成立させるにあたり、通話音声（送話音声）を入力するためのものである。
【００３３】
応答ボタン２０３は、親機スピーカ２０１及び親機マイク２０２を使用した通話を成立させるにあたり、居住者が応答操作を行うためのものである。
【００３４】
制御回路２０４は、当該居室親機の構成各部／回路をそれぞれ制御するにあたり、例えば、表示部２００の点滅／点灯／消灯制御、親機スピーカ２０１からの呼出報知制御等や、応答ボタン２０３にて行われる応答操作を検出して応答信号を生成するためのものである。
【００３５】
親機音声コーデック２０５は、Ａ／Ｄ変換回路２０５ａ及びＤ／Ａ変換回路２０５ｂを有している。また、Ａ／Ｄ変換回路２０５ａは、親機マイク２０２に入力された通話音声（送話音声）であり電気信号に信号処理されたアナログ音声信号をアナログ／デジタル変換するためのものである。さらに、Ｄ／Ａ変換回路２０５ｂは、親機スピーカ２０１から出力させる通話音声（受話音声）であり、親機加重平均フィルタ２０８を経由して伝送されてくる（玄関子機１ａからの）デジタル音声信号をデジタル／アナログ変換するためのものである。
【００３６】
親機圧縮回路２０６は、親機音声コーデック２０５のＡ／Ｄ変換回路２０５ａを経由してアナログ／デジタル変換されたデジタル音声信号についてμ−ＬａｗＰＣＭ等の非可逆圧縮を行うためのものである。
【００３７】
親機伸張回路２０７は、親機フレーム分解回路２１０を経由して伝送されてくる（玄関子機１ａからの）非可逆圧縮されたデジタル音声信号（デジタル音声圧縮信号）を伸張するためのものである。
【００３８】
親機加重平均フィルタ２０８は、親機伸張回路２０７を経由して伸張されたデジタル音声信号に発生する非線形のひずみを軽減するため、伸張後のデジタル音声信号を平滑化するために２のべき乗で加重平均演算を行うものである。
【００３９】
親機フレーム組立回路２０９は、制御回路２０４にて生成された応答信号や親機圧縮回路２０６を経由して非可逆圧縮されたデジタル音声信号（デジタル音声圧縮信号）を、伝送線路Ｌ1aを伝送させる所定のフレームとなるように構成するためのものである。
【００４０】
親機フレーム分解回路２１０は、親機送受信回路２１１を経由して伝送されてくる（玄関子機１ａからの）所定のフレーム構成の呼出信号や非可逆圧縮されたデジタル音声信号（デジタル音声圧縮信号）を分離するためのものである。
【００４１】
親機送受信回路２１１は、親機フレーム組立回路２０９から伝送線路Ｌ1aへの信号伝送ライン、伝送線路Ｌ1aから親機フレーム分解回路２１０への信号伝送ラインをそれぞれ形成するためのものである。
【００４２】
このように構成された本発明の第１の実施例によるインターホン装置において、以下、具体的な動作について説明する。
【００４３】
図１において、住戸玄関に居る人物、例えば、来訪者が、住戸内に在室中の居住者を呼び出すために玄関子機１ａの呼出ボタン１００を操作すると、この呼出操作を検出した呼出検出回路１０１にて呼出信号が生成される。また、呼出検出回路１０１にて生成された呼出信号は、子機フレーム組立回路１０８にて所定のフレームに組み立てられた信号として、子機送受信回路１１０、伝送線路Ｌ1a、居室親機２ａの親機送受信回路２１１を経由して親機フレーム分解回路２１０に伝送される。さらに、親機フレーム分解回路２１０は、玄関子機１ａからの信号として所定のフレームに組み立てられている呼出信号を分離して制御回路２０４に送出する。
【００４４】
居室親機２ａの制御回路２０４は、親機フレーム分解回路２１０を経由して分離された呼出信号をもとに、来訪者による玄関子機１ａからの呼び出しがあることを検出し、所定のパターンで表示部２００を点滅／点灯させるばかりでなく、所定のパターンの呼出音や音声メッセージ等を親機スピーカ２０１から放音させて呼出報知を行うことができる。
【００４５】
次に、前述の呼出報知を確認した居住者が、来訪者との間で通話を成立させるために居室親機２ａの応答ボタン２０３を操作すると、この応答操作を検出した制御回路２０４の制御（詳述せず。）により、居住者が使用する親機マイク２０２から親機音声コーデック２０５のＡ／Ｄ変換回路２０５ａ、親機圧縮回路２０６、親機フレーム組立回路２０９、親機送受信回路２１１、伝送線路Ｌ1a、玄関子機１ａの子機送受信回路１１０、子機フレーム分解回路１０９、子機伸張回路１０６、子機加重平均フィルタ１０７、子機音声コーデック１０４のＤ／Ａ変換回路１０４ｂを経由して来訪者が使用する子機スピーカ１０３までの通話ラインと、来訪者が使用する子機マイク１０２から子機音声コーデック１０４のＡ／Ｄ変換回路１０４ａ、子機圧縮回路１０５、子機フレーム組立回路１０８、子機送受信回路１１０、伝送線路Ｌ1a、居室親機２ａの親機送受信回路２１１、親機フレーム分解回路２１０、親機伸張回路２０７、親機加重平均フィルタ２０８、親機音声コーデック２０５のＤ／Ａ変換回路２０５ｂを経由して居住者が使用する親機スピーカ２０１までの通話ラインとがそれぞれ形成される。
【００４６】
なお、居住者による応答操作を検出した居室親機２ａの制御回路２０４は、前述の通話ラインの形成のみならず、表示部２００を所定のパターンで点滅／点灯させて通話状態である旨を報知することもできる。
【００４７】
ここで、居住者が居室親機２ａの親機マイク２０２に入力した通話音声（送話音声）であり電気信号に信号処理されたアナログ音声信号（以下、アナログ親機音声信号という。）は、親機音声コーデック２０５のＡ／Ｄ変換回路２０５ａを経由してデジタル音声信号（以下、デジタル親機音声信号という。）にアナログ／デジタル変換された後、親機圧縮回路２０６に送出される。
【００４８】
居室親機２ａの親機圧縮回路２０６は、デジタル親機音声信号についてμ−ＬａｗＰＣＭ等の非可逆圧縮を行い、デジタル親機音声圧縮信号を生成する。このデジタル親機音声圧縮信号は、親機フレーム組立回路２０９にて所定のフレームに組み立てられた信号として、親機送受信回路２１１、伝送線路Ｌ1a、玄関子機１ａの子機送受信回路１１０を経由して子機フレーム分解回路１０９に伝送される。また、子機フレーム分解回路１０９は、居室親機２ａからの信号として所定のフレームに組み立てられているデジタル親機音声圧縮信号を分離して子機伸張回路１０６に送出する。
【００４９】
玄関子機１ａの子機伸張回路１０６は、子機フレーム分解回路１０９を経由して分離された居室親機２ａからのデジタル親機音声圧縮信号を伸張して、デジタル親機音声信号を生成する。このデジタル親機音声信号は、子機加重平均フィルタ１０７を経由して２のべき乗で加重平均演算が行われることにより、伸張の際に発生する非線形のひずみが軽減し、平滑化された後、子機音声コーデック１０４のＤ／Ａ変換回路１０４ｂに送出することができる。
【００５０】
玄関子機１ａにおいて、子機音声コーデック１０４のＤ／Ａ変換回路１０４ｂは、子機加重平均フィルタ１０７を経由して非線形のひずみが軽減し、平滑化されたデジタル親機音声信号をアナログ親機音声信号にデジタル／アナログ変換して子機スピーカ１０３に送出することにより、居室親機２ａの親機マイク２０２に入力された居住者の通話音声（受話音声）を、子機伸張回路１０６を経由して伸張される際に発生する非線形のひずみを軽減し、平滑化された良好な通話品質の通話音声（受話音声）として、子機スピーカ１０３から出力させることができる。
【００５１】
一方、来訪者が玄関子機１ａの子機マイク１０２に入力した通話音声（送話音声）であり電気信号に信号処理されたアナログ音声信号（以下、アナログ子機音声信号という。）は、子機音声コーデック１０４のＡ／Ｄ変換回路１０４ａを経由してデジタル音声信号（以下、デジタル子機音声信号という。）にアナログ／デジタル変換された後、子機圧縮回路１０５に送出される。
【００５２】
玄関子機１ａの子機圧縮回路１０５は、デジタル子機音声信号についてμ−ＬａｗＰＣＭ等の非可逆圧縮を行い、デジタル子機音声圧縮信号を生成する。このデジタル子機音声圧縮信号は、子機フレーム組立回路１０８にて所定のフレームに組み立てられた信号として、子機送受信回路１１０、伝送線路Ｌ1a、居室親機２ａの親機送受信回路２１１を経由して親機フレーム分解回路２１０に伝送される。また、親機フレーム分解回路２１０は、玄関子機１ａからの信号として所定のフレームに組み立てられているデジタル子機音声圧縮信号を分離して親機伸張回路２０７に送出する。
【００５３】
居室親機２ａの親機伸張回路２０７は、親機フレーム分解回路２１０を経由して分離された玄関子機１ａからのデジタル子機音声圧縮信号を伸張して、デジタル子機音声信号を生成する。このデジタル子機音声信号は、親機加重平均フィルタ２０８を経由して２のべき乗で加重平均演算が行われることにより、伸張の際に発生する非線形のひずみが軽減し、平滑化された後、親機音声コーデック２０５のＤ／Ａ変換回路２０５ｂに送出することができる。
【００５４】
居室親機２ａにおいて、親機音声コーデック２０５のＤ／Ａ変換回路２０５ｂは、親機加重平均フィルタ２０８を経由して非線形のひずみが軽減し、平滑化されたデジタル子機音声信号をアナログ子機音声信号にデジタル／アナログ変換して親機スピーカ２０１に送出することにより、玄関子機１ａの子機マイク１０２に入力された来訪者の通話音声（受話音声）を、親機伸張回路２０７を経由して伸張される際に発生する非線形のひずみを軽減し、平滑化された良好な通話品質の通話音声（受話音声）として親機スピーカ２０１から出力させることができる。
【００５５】
前述までの説明から明らかなように、本発明の第１の実施例によれば、子機マイク１０２及び子機スピーカ１０３を有する玄関子機１ａと親機マイク２０２及び親機スピーカ２０１を有する居室親機２ａとの間で通話を成立させるにあたり、子機マイク１０１に入力された通話音声（送話音声）であり子機音声圧縮回路１０５を経由してμ−ＬａｗＰＣＭ等の非可逆圧縮が行われたデジタル子機音声圧縮信号を親機伸張回路１０７にて伸張させる際、親機加重平均フィルタ２０８の作用により伸張の際に発生する非線形のひずみが軽減し、伸張後のデジタル子機音声信号が平滑化されることにより、来訪者の通話音声を良好な通話品質が確保された受話音声として、親機スピーカ２０１から出力させることができる。
【００５６】
また、居室親機２ａの親機マイク２０２に入力された通話音声（送話音声）についても、親機音声圧縮回路２０６を経由してμ−ＬａｗＰＣＭ等の非可逆圧縮が行われたデジタル親機音声圧縮信号を子機伸張回路１０６にて伸張させる際、子機加重平均フィルタ１０７の作用により伸張の際に発生する非線形のひずみが軽減し、伸張後のデジタル親機音声信号が平滑化されることにより、居住者の通話音声を良好な通話品質が確保された受話音声として、子機スピーカ１０３から出力させることができる。
【００５７】
さらに、玄関子機１ａの子機加重平均フィルタ１０７及び居室親機２ａの親機加重平均フィルタ２０８はそれぞれ、２のべき乗で加重平均演算が行われることにより、回路構成を簡素化できる。
【００５８】
次に、前述までの第１の実施例と同様な効果を奏する別途の実施例として、以下、本発明の第２の実施例によるインターホン装置について図面を参照して説明する。なお、第１の実施例と同様な作用を有する構成各部／回路についてはそれぞれ、同一の符号を付与して説明は省略するものとする。
【００５９】
図２は、本発明の第２の実施例によるインターホン装置の具体的な構成を示すブロック図である。
【００６０】
図２に示すインターホン装置には、住戸外、例えば、住戸玄関に設置された玄関子機１ｂと、伝送線路Ｌ1bを経由して玄関子機１ｂに接続される住戸内に設置された居室親機２ｂとが設けられている。
【００６１】
また、玄関子機１ｂには、呼出ボタン１００、呼出検出回路１０１、子機マイク１０２、子機スピーカ１０３、子機音声コーデック１０４（Ａ／Ｄ変換回路１０４ａ及びＤ／Ａ変換回路１０４ｂ）、子機圧縮回路１０５、子機伸張回路１０６、子機フレーム組立回路１０８、子機フレーム分解回路１０９、子機送受信回路１１０、オーバーサンプリング回路（以下、子機オーバーサンプリング回路という。）１１１、帯域通過フィルタ（以下、子機帯域通過フィルタという。）１１２、子機加重平均フィルタ１１３が備えられている。
【００６２】
この玄関子機１ｂにおいて、子機オーバーサーブリング回路１１１は、子機伸張回路１０６を経由して伸張されたデジタル音声信号についてオーバーサンプリングを行い、当該デジタル音声信号を補間して通話品質を改善するためのものである。
【００６３】
子機帯域通過フィルタ１１２は、子機オーバーサンプリング回路１１１にて行われるオーバーサンプリングの際の不要帯域、例えば、高周波成分を除去するためのものである。
【００６４】
子機加重平均フィルタ１１３は、子機伸張回路１０６を経由して伸張された後、子機オーバーサンプリング回路１１１及び子機帯域通過フィルタ１１２を順次経由したデジタル音声信号に発生する非線形のひずみを軽減するため、伸張後のデジタル音声信号を平滑化するために２のべき乗で加重平均演算を行うものである。
【００６５】
なお、子機音声コーデック１０４のＤ／Ａ変換回路１０４ｂは、子機スピーカ１１３から出力させる通話音声（受話音声）であり、子機加重平均フィルタ１１３を経由して伝送されてくる（居室親機２ｂからの）デジタル音声信号をデジタル／アナログ変換するためのものである。
【００６６】
さらに、居室親機２ｂには、表示部２００、親機スピーカ２０１、親機マイク２０２、応答ボタン２０３、制御回路２０４、親機音声コーデック２０５（Ａ／Ｄ変換回路２０５ａ及びＤ／Ａ変換回路２０５ｂ）、親機圧縮回路２０６、親機伸張回路２０７、親機フレーム組立回路２０９、親機フレーム分解回路２１０、親機送受信回路２１１、オーバーサンプリング回路（以下、親機オーバーサンプリング回路という。）２１２、帯域通過フィルタ（以下、親機帯域通過フィルタという。）２１３、親機加重平均フィルタ２１４が備えられている。
【００６７】
この居室親機２ｂにおいて、親機オーバーサーブリング回路２１２は、親機伸張回路２０７を経由して伸張されたデジタル音声信号についてオーバーサンプリングを行い、当該デジタル音声信号を補間して通話品質を改善するためのものである。
【００６８】
親機帯域通過フィルタ２１３は、親機オーバーサンプリング回路２１２にて行われるオーバーサンプリングの際の不要帯域、例えば、高周波成分を除去するためのものである。
【００６９】
親機加重平均フィルタ２１４は、親機伸張回路２０７を経由して伸張された後、親機オーバーサンプリング回路２１２及び親機帯域通過フィルタ２１３を順次経由したデジタル音声信号に発生する非線形のひずみを軽減するため、伸張後のデジタル音声信号を平滑化するために２のべき乗で加重平均演算を行うものである。
【００７０】
なお、親機音声コーデック２０５のＤ／Ａ変換回路２０５ｂは、親機スピーカ２０１から出力させる通話音声（受話音声）であり、親機加重平均フィルタ２１４を経由して伝送されてくる（玄関子機１ｂからの）デジタル音声信号をデジタル／アナログ変換するためのものである。
【００７１】
このように構成された本発明の第２の実施例によるインターホン装置において、以下、具体的な動作について説明する。なお、住戸玄関に居る人物、例えば、来訪者が、住戸内に在室中の居住者を呼び出すために玄関子機１ｂの呼出ボタン１００を操作し、この呼び出しを検出した居室親機１ｂの制御回路２０４が表示部２００及び親機スピーカ２０１を使用して所定の呼出報知を行うまでの動作は、第１の実施例における該当動作と同様であるため、説明は省略するものとする。
【００７２】
次に、第１の実施例と同様な呼出報知を確認した居住者が、来訪者との間で通話を成立させるために居室親機２ｂの応答ボタン２０３を操作すると、この応答操作を検出した制御回路２０４の制御（詳述せず。）により、居住者が使用する親機マイク２０２から親機音声コーデック２０５のＡ／Ｄ変換回路２０５ａ、親機圧縮回路２０６、親機フレーム組立回路２０９、親機送受信回路２１１、伝送線路Ｌ1b、玄関子機１ｂの子機送受信回路１１０、子機フレーム分解回路１０９、子機伸張回路１０６、子機オーバーサンプリング回路１１１、子機帯域通過フィルタ１１２、子機加重平均フィルタ１１３、子機音声コーデック１０４のＤ／Ａ変換回路１０４ｂを経由して来訪者が使用する子機スピーカ１０３までの通話ラインと、来訪者が使用する子機マイク１０２から子機音声コーデック１０４のＡ／Ｄ変換回路１０４ａ、子機圧縮回路１０５、子機フレーム組立回路１０８、子機送受信回路１１０、伝送線路Ｌ1b、居室親機２ｂの親機送受信回路２１１、親機フレーム分解回路２１０、親機伸張回路２０７、親機オーバーサンプリング回路２１２、親機帯域通過フィルタ２１３、親機加重平均フィルタ２１４、親機音声コーデック２０５のＤ／Ａ変換回路２０５ｂを経由して居住者が使用する親機スピーカ２０１までの通話ラインとがそれぞれ形成される。
【００７３】
なお、居住者による応答操作を検出し居室親機２ｂの制御回路２０４は、第１の実施例と同様、前述の通話ラインの形成のみならず、表示部２００を所定のパターンで点滅／点灯させて通話状態である旨を報知することもできる。
【００７４】
ここで、居住者が居室親機２ｂの親機マイク２０２に入力した通話音声（送話音声）であり電気信号に信号処理されたアナログ親機音声信号は、親機音声コーデック２０５のＡ／Ｄ変換回路２０５ａを経由してデジタル親機音声信号にアナログ／デジタル変換された後、親機圧縮回路２０６に送出される。
【００７５】
居室親機２ｂの親機圧縮回路２０６は、デジタル親機音声信号についてμ−ＬａｗＰＣＭ等の非可逆圧縮を行い、デジタル親機音声圧縮信号を生成する。このデジタル親機音声圧縮信号は、親機フレーム組立回路２０９にて所定のフレームに組み立てられた信号として、親機送受信回路２１１、伝送線路Ｌ1b、玄関子機１ｂの子機送受信回路１１０を経由して子機フレーム分解回路１０９に伝送される。また、子機フレーム分解回路１０９は、居室親機２ｂからの信号として所定のフレームに組み立てられているデジタル親機音声圧縮信号を分離して子機伸張回路１０６に送出する。
【００７６】
玄関子機１ｂの子機伸張回路１０６は、子機フレーム分解回路１０９を経由して分離された居室親機２ｂからのデジタル親機音声圧縮信号を伸張して、デジタル親機音声信号を生成する。このデジタル親機音声信号は、子機オーバーサンプリング回路１１１を経由してオーバーサンプリングが行われることにより、通話品質が改善され、さらにはオーバーサンプリングの際の不要帯域、例えば、高周波成分が子機帯域通過フィルタ１１２を経由して除去される。また、子機オーバーサンプリング回路１１１及び帯域通過フィルタ１１２を順次経由したデジタル親機音声信号は、子機加重平均フィルタ１１３を経由して２のべき乗で加重平均演算が行われることにより、伸張の際に発生する非線形のひずみが軽減し、平滑化された後、子機音声コーデック１０４のＤ／Ａ変換回路１０４ｂに送出することができる。
【００７７】
玄関子機１ｂにおいて、子機音声コーデック１０４のＤ／Ａ変換回路１０４ｂは、子機加重平均フィルタ１１３を経由して非線形のひずみが軽減し、平滑化されたデジタル親機音声信号をアナログ親機音声信号にデジタル／アナログ変換して子機スピーカ１０３に送出することにより、居室親機２ｂの親機マイク２０２に入力された居住者の通話音声（受話音声）の通話品質が改善され、子機伸張回路１０６を経由して伸張される際に発生する非線形のひずみを軽減し、平滑化された良好な通話品質の通話音声（受話音声）として、子機スピーカ１０３から出力させることができる。
【００７８】
一方、来訪者が玄関子機１ｂの子機マイク１０２に入力した通話音声（送話音声）であり電気信号に信号処理されたアナログ子機音声信号は、子機音声コーデック１０４のＡ／Ｄ変換回路１０４ａを経由してデジタル子機音声信号にアナログ／デジタル変換された後、子機圧縮回路１０５に送出される。
【００７９】
玄関子機１ｂの子機圧縮回路１０５は、デジタル子機音声信号についてμ−ＬａｗＰＣＭ等の非可逆圧縮を行い、デジタル子機音声圧縮信号を生成する。このデジタル子機音声圧縮信号は、子機フレーム組立回路１０８にて所定のフレームに組み立てられた信号として、子機送受信回路１１０、伝送線路Ｌ1b、居室親機２ｂの親機送受信回路２１１を経由して親機フレーム分解回路２１０に伝送される。また、親機フレーム分解回路２１０は、玄関子機１ｂからの信号として所定のフレームに組み立てられているデジタル子機音声圧縮信号を分離して親機伸張回路２０７に送出する。
【００８０】
居室親機２ｂの親機伸張回路２０７は、親機フレーム分解回路２１０を経由して分離された玄関子機１ｂからのデジタル子機音声圧縮信号を伸張して、デジタル子機音声信号を生成する。このデジタル子機音声信号は、親機オーバーサンプリング回路２１２を経由してオーバーサンプリングが行われることにより、通話品質が改善され、さらにはオーバーサンプリングの際の不要帯域、例えば、高周波成分が親機帯域通過フィルタ２１３を経由して除去される。また、親機オーバーサンプリング回路２１２及び帯域通過フィルタ２１３を順次経由したデジタル子機音声信号は、親機加重平均フィルタ２１４を経由して２のべき乗で加重平均演算が行われることにより、伸張の際に発生する非線形のひずみが軽減し、平滑化された後、親機音声コーデック２０５のＤ／Ａ変換回路２０５ｂに送出することができる。
【００８１】
居室親機２ｂにおいて、親機音声コーデック２０５のＤ／Ａ変換回路２０５ｂは、親機加重平均フィルタ２１４を経由して非線形のひずみが軽減し、平滑化されたデジタル子機音声信号をアナログ子機音声信号にデジタル／アナログ変換して親機スピーカ２０１に送出することにより、玄関子機１ｂの子機マイク１０２に入力された来訪者の通話音声（受話音声）の通話品質が改善され、親機伸張回路２０７を経由して伸張される際に発生する非線形のひずみを軽減し、平滑化された良好な通話品質の通話音声（受話音声）として、親機スピーカ２０１から出力させることができる。
【００８２】
前述までの説明から明らかなように、本発明の第２の実施例によれば、子機マイク１０２及び子機スピーカ１０３を有する玄関子機１ｂと親機マイク２０２及び親機スピーカ２０１を有する居室親機２ｂとの間で通話を成立させるにあたり、子機マイク１０１に入力された通話音声（送話音声）であり子機音声圧縮回路１０５を経由してμ−ＬａｗＰＣＭ等の非可逆圧縮が行われたデジタル子機音声圧縮信号を親機伸張回路１０７にて伸張させる際、親機オーバーサンプリング回路２１２及び親機帯域通過フィルタ２１３を経由して伸張後のデジタル子機音声信号をオーバーサンプリングして通話品質を改善し、また不要帯域である高周波成分を除去することができ、さらには親機加重平均フィルタ２１４の作用により伸張の際に発生する非線形のひずみが軽減し、伸張後のデジタル子機音声信号が平滑化されることにより、来訪者の通話音声を良好な通話品質が確保された受話音声として、親機スピーカ２０１から出力させることができる。
【００８３】
また、居室親機２ｂの親機マイク２０２に入力された通話音声（送話音声）についても、親機音声圧縮回路２０６を経由してμ−ＬａｗＰＣＭ等の非可逆圧縮が行われたデジタル親機音声圧縮信号を子機伸張回路１０６にて伸張させる際、子機オーバーサンプリング回路１１１及び子機帯域通過フィルタ１１２を経由して伸張後のデジタル親機音声信号をオーバーサンプリングして通話品質を改善し、また不要帯域である高周波成分を除去することができ、さらには子機加重平均フィルタ１１３の作用により伸張の際に発生する非線形のひずみが軽減し、伸張後のデジタル親機音声信号が平滑化されることにより、居住者の通話音声を良好な通話品質が確保された受話音声として、子機スピーカ１０３から出力させることができる。
【００８４】
さらに、玄関子機１ｂの子機加重平均フィルタ１１３及び居室親機２ｂの親機加重平均フィルタ２１４はそれぞれ、２のべき乗で加重平均演算が行われることにより、回路構成を簡素化できる。
【００８５】
本発明のインターホン装置においては、特定の実施の形態をもって説明してきたが、この形態に限定されるものでなく、本発明の効果を奏する限り、これまで知られた如何なる構成のインターホン装置であっても採用できるということはいうまでもないことである。
【図面の簡単な説明】
【００８６】
【図１】本発明の第１の実施例によるインターホン装置の具体的な構成を示すブロック図。
【図２】本発明の第２の実施例によるインターホン装置の具体的な構成を示すブロック図。
【符号の説明】
【００８７】
１ａ、１ｂ……玄関子機
１０２……子機マイク
１０３……子機スピーカ
１０７、１１３……子機加重平均フィルタ（加重平均フィルタ）
１１１……子機オーバーサンプリング回路（オーバーサンプリング回路）
１１２……子機帯域通過フィルタ（帯域通過フィルタ）
２ａ、２ｂ……親機
２０１……親機スピーカ
２０２……親機マイク
２０８、２１４……親機加重平均フィルタ（加重平均フィルタ）
２１２……親機オーバーサンプリング回路（オーバーサンプリング回路）
２１３……親機帯域通過フィルタ（帯域通過フィルタ）
【図１】
2008219113.tif 000003
【図２】
2008219113.tif 000004